【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
第１の電極と、第２の電極と、前記第１の電極及び前記第２の電極の間に配された光電変換層と、を各々が含む複数の画素を含む画素アレイであって、
前記複数の画素は、第１のカラーフィルタを有する第１の画素と、前記第１のカラーフィルタとは異なる第２のカラーフィルタを有する第２の画素とを含む、画素アレイと、
前記第１の画素の前記第１の電極と、前記第２の画素の前記第１の電極とに対し電位を供給する電位供給線と、
前記第１の画素の感度の前記光電変換層へのバイアス電圧に対する依存性と、前記第２の画素の感度の前記光電変換層へのバイアス電圧に対する依存性との違いを補償するように、前記第１の画素の前記第２の電極と、前記第２の画素の前記第２の電極とに対し、互いに異なる電位を供給可能である、制御線と、
を備え、
前記制御線は、前記第１の画素の感度と前記第２の画素の感度とが所定の比率になるバイアス電圧が前記第１の画素の前記光電変換層と前記第２の画素の前記光電変換層とに印加されるように、前記第１の画素の前記第２の電極と、前記第２の画素の前記第２の電極とに対し、互いに異なる電位を供給する
ことを特徴とする光電変換装置。
【請求項２】
第１の電極と、第２の電極と、前記第１の電極及び前記第２の電極の間に配された光電変換層と、を各々が含む複数の画素を含む画素アレイであって、
前記複数の画素は、第１のカラーフィルタを有する第１の画素と、前記第１のカラーフィルタとは異なる第２のカラーフィルタを有する第２の画素とを含む、画素アレイと、
前記第１の画素の前記第１の電極と、前記第２の画素の前記第１の電極とに対し電位を供給する電位供給線と、
前記第１の画素の感度の前記光電変換層へのバイアス電圧に対する依存性と、前記第２の画素の感度の前記光電変換層へのバイアス電圧に対する依存性との違いを補償するように、前記第１の画素の前記第２の電極と、前記第２の画素の前記第２の電極とに対し、互いに異なる電位を供給可能である、制御線と、
を備え、
第３のバイアス電圧よりも低い第１のバイアス電圧が前記光電変換層に印加される場合、前記第１の画素の感度は前記第２の画素の感度よりも低く、
前記第３のバイアス電圧よりも高い第２のバイアス電圧が前記光電変換層に印加される場合、前記第１の画素の感度は前記第２の画素の感度よりも高く、
前記第３のバイアス電圧が前記光電変換層に印加される場合、前記第１の画素の感度は前記第２の画素の感度と等しく、
前記第１の画素及び前記第２の画素の前記光電変換層に印加されるバイアス電圧が前記第３のバイアス電圧よりも低い場合、前記制御線は、前記第１の画素の前記光電変換層に印加されるバイアス電圧が前記第２の画素の前記光電変換層に印加されるバイアス電圧よりも高くなるように電位を供給し、
前記第１の画素及び前記第２の画素の前記光電変換層に印加されるバイアス電圧が前記第３のバイアス電圧よりも高い場合、前記制御線は、前記第１の画素の前記光電変換層に印加されるバイアス電圧が前記第２の画素の前記光電変換層に印加されるバイアス電圧よりも低くなるように電位を供給する
ことを特徴とする光電変換装置。
【請求項３】
前記複数の画素の各々は、
前記第２の電極と接続された入力ノードを有し、前記入力ノードの電荷に応じた信号を出力する増幅部と、
前記制御線と前記入力ノードとの間に接続された画素容量と、
を更に含むことを特徴とする請求項１又は２に記載の光電変換装置。
【請求項４】
前記複数の画素は、
前記第１の電極と、前記第２の電極と、前記光電変換層とを含み、前記第２のカラーフィルタを有する第３の画素と、
前記第１の電極と、前記第２の電極と、前記光電変換層とを含み、前記第１のカラーフィルタ及び前記第２のカラーフィルタのいずれとも異なる第３のカラーフィルタを有する第４の画素と、
を更に含み、
前記第２の画素の前記第２の電極と、前記第３の画素の前記第２の電極とには、共通の前記制御線から同一の電位が供給される
ことを特徴とする請求項１乃至３のいずれか１項に記載の光電変換装置。
【請求項５】
前記複数の画素の各々は、
前記第２の電極と接続された入力ノードを有し、前記入力ノードの電荷に応じた信号を出力する増幅部
を更に含み、
前記複数の画素は、
前記第１の電極と、前記第２の電極と、前記光電変換層とを含み、前記第２のカラーフィルタを有する第３の画素と、
前記第１の電極と、前記第２の電極と、前記光電変換層とを含み、前記第１のカラーフィルタ及び前記第２のカラーフィルタのいずれとも異なる第３のカラーフィルタを有する第４の画素と、
を更に含み、
前記制御線は、第１の制御線と第２の制御線とを含み、
前記第１の画素は、前記第１の制御線と前記第１の画素の前記入力ノードとの間に接続された第１の画素容量を更に含み、
前記第２の画素は、前記第１の制御線と前記第２の画素の前記入力ノードとの間に接続された第２の画素容量を更に含み、
前記第３の画素は、前記第２の制御線と前記第３の画素の前記入力ノードとの間に接続された第３の画素容量を更に含み、
前記第４の画素は、前記第２の制御線と前記第４の画素の前記入力ノードとの間に接続された第４の画素容量を更に含み、
前記第１の画素容量の容量値と前記第２の画素容量の容量値とが互いに異なり、かつ、前記第３の画素容量の容量値と前記第４の画素容量の容量値とが互いに異なる
ことを特徴とする請求項１又は２に記載の光電変換装置。
【請求項６】
前記第１の画素は、入射光のうちの赤色の波長成分に応じた信号を出力するＲ画素であり、
前記第２の画素は、入射光のうちの緑色の波長成分に応じた信号を出力するＧｒ画素であり、
前記第３の画素は、入射光のうちの緑色の波長成分に応じた信号を出力するＧｂ画素であり、
前記第４の画素は、入射光のうちの青色の波長成分に応じた信号を出力するＢ画素であり、
前記第１の画素、前記第２の画素、前記第３の画素及び前記第４の画素は、ベイヤ配列をなしている
ことを特徴とする請求項４又は５に記載の光電変換装置。
【請求項７】
前記複数の画素の各々は、
前記光電変換層の前記第２の電極が配された側の面に配された第３の電極と、
前記第３の電極と接続された入力ノードを有し、前記入力ノードの電荷に応じた信号を出力する増幅部と、
を更に含むことを特徴とする請求項１又は２に記載の光電変換装置。
【請求項８】
前記複数の画素は、
前記第１の電極と、前記第２の電極と、前記光電変換層とを含み、前記第１のカラーフィルタ及び前記第２のカラーフィルタのいずれとも異なる第３のカラーフィルタを有する第４の画素と、
前記第１の電極と、前記第２の電極と、前記光電変換層とを含み、前記第１のカラーフィルタ、前記第２のカラーフィルタ及び前記第３のカラーフィルタをいずれも有しない第５の画素と、
を更に含むことを特徴とする請求項１、２又は７に記載の光電変換装置。
【請求項９】
前記第１の画素は、入射光のうちの赤色の波長成分に応じた信号を出力するＲ画素であり、
前記第２の画素は、入射光のうちの緑色の波長成分に応じた信号を出力するＧ画素であり、
前記第４の画素は、入射光のうちの青色の波長成分に応じた信号を出力するＢ画素であり、
前記第５の画素は、入射光のうちの赤色から青色の波長成分に応じた信号を出力するＷ画素である
ことを特徴とする請求項８に記載の光電変換装置。
【請求項１０】
前記複数の画素の各々は、
前記第１の電極及び前記光電変換層の間に配されたブロッキング層と、
前記光電変換層及び前記第２の電極の間に配された絶縁層と、
前記第２の電極と接続された入力ノードを有し、前記入力ノードの電荷に応じた信号を出力する増幅部と、
前記制御線と前記入力ノードとの間に接続された画素容量と、
を更に含むことを特徴とする請求項１又は２に記載の光電変換装置。
【請求項１１】
前記第１の電極と、前記第２の電極との間の電圧に応じて、前記複数の画素の各々は、
前記光電変換層の残留電荷を排出するリセット動作と、
前記光電変換層に電荷を蓄積する蓄積動作と、
前記蓄積動作において前記光電変換層に蓄積された電荷を前記光電変換層から排出する排出動作と、
を行うよう制御されることを特徴とする請求項１０に記載の光電変換装置。
【請求項１２】
前記電位供給線は、前記第１の画素の前記第１の電極と、前記第２の画素の前記第１の電極とに対し共通の電位を供給することを特徴とする請求項１乃至１１のいずれか１項に記載の光電変換装置。
【請求項１３】
前記制御線は、フレームごとに異なる電位を前記第２の電極に供給可能であることを特徴とする請求項１乃至１２のいずれか１項の記載の光電変換装置。
【請求項１４】
請求項１乃至１３のいずれか１項に記載の光電変換装置と、
前記光電変換装置からの信号を処理する信号処理部と、
を備えることを特徴とする撮像システム。
【請求項１５】
移動体であって、
請求項１乃至１３のいずれか１項に記載の光電変換装置と、
前記光電変換装置の前記画素から出力される信号に基づく視差画像から、対象物までの距離情報を取得する距離情報取得手段と、
前記距離情報に基づいて前記移動体を制御する制御手段と、
を備えることを特徴とする移動体。
【手続補正２】
【補正対象書類名】明細書
【補正対象項目名】０００６
【補正方法】変更
【補正の内容】
【０００６】
本発明の１つの側面に係る実施形態の光電変換装置は、第１の電極と、第２の電極と、前記第１の電極及び前記第２の電極の間に配された光電変換層と、を各々が含む複数の画素を含む画素アレイであって、前記複数の画素は、第１のカラーフィルタを有する第１の画素と、前記第１のカラーフィルタとは異なる第２のカラーフィルタを有する第２の画素とを含む、画素アレイと、前記第１の画素の前記第１の電極と、前記第２の画素の前記第１の電極とに対し電位を供給する電位供給線と、前記第１の画素の感度の前記光電変換層へのバイアス電圧に対する依存性と、前記第２の画素の感度の前記光電変換層へのバイアス電圧に対する依存性との違いを補償するように、前記第１の画素の前記第２の電極と、前記第２の画素の前記第２の電極とに対し、互いに異なる電位を供給可能である、制御線とを備え、前記制御線は、前記第１の画素の感度と前記第２の画素の感度とが所定の比率になるバイアス電圧が前記第１の画素の前記光電変換層と前記第２の画素の前記光電変換層とに印加されるように、前記第１の画素の前記第２の電極と、前記第２の画素の前記第２の電極とに対し、互いに異なる電位を供給する。